(57)【要約】【課題】定着長を確保する上で有利な束ね鉄筋を提供すること。【解決手段】束ね鉄筋１０Ａは、複数の鉄筋１２と、それら鉄筋１２を保持する保持体１４とを含んで構成されている。複数の鉄筋１２は、同一の外径であり、同一の長さを有している。保持体１４は、複数の鉄筋１２がそれらの長さを揃え、互いに平行して延在した状態を保持するコンクリートよりも引張強度の高い接着剤で構成されている。このような接着剤として、例えば、エポキシ樹脂系接着剤を用いることができる。エポキシ樹脂系接着剤は液状の状態で、複数の鉄筋１２の隙間からそれら鉄筋１２の外周にわたって充填され、硬化されることでそれら複数の鉄筋１２を保持している。束ね鉄筋１０Ａは、均一断面の円柱体として形成され、束ね鉄筋１０Ａの取り扱いが簡単になされるように図られている。【選択図】図１
2020056307.tif 000002
【特許請求の範囲】
【請求項１】
複数の鉄筋と、
前記複数の鉄筋が互いに平行して延在した状態を保持し前記鉄筋の延在方向に延在する保持体とを備え、
前記保持体は、コンクリートよりも大きい引張強度を有し、前記複数の鉄筋相互の隙間からそれら鉄筋の外周にわたって充填された接着剤で構成されている、
ことを特徴とする束ね鉄筋。
【請求項２】
前記束ね鉄筋の外周面は、前記保持体で形成されている、
ことを特徴とする請求項１記載の束ね鉄筋。
【請求項３】
前記束ね鉄筋は、均一の外径で延在している、
ことを特徴とする請求項２記載の束ね鉄筋。
【請求項４】
前記複数の鉄筋は同一の外径を有している、
ことを特徴とする請求項１〜３の何れか１項記載の束ね鉄筋。
【請求項５】
前記複数の鉄筋は、複数種類の外径の鉄筋が組み合わされている、
ことを特徴とする請求項１〜３の何れか１項記載の束ね鉄筋。
【請求項６】
前記複数の鉄筋は、それらの外周面を離間させて配置されている、
ことを特徴とする請求項１〜５の何れか１項記載の束ね鉄筋。
【請求項７】
前記複数の鉄筋と前記保持体とがその内部に取着された鋼管をさらに備える、
ことを特徴とする請求項１〜６の何れか１項記載の束ね鉄筋。
【請求項８】
前記鋼管に前記鋼管の外周面と内周面とに貫通する複数の貫通孔が形成されている、
ことを特徴とする請求項７記載の束ね鉄筋。
【請求項９】
前記束ね鉄筋の外周面に、コンクリートとの付着性を高める凹凸部が形成されている、
ことを特徴とする請求項１〜８の何れか１項記載の束ね鉄筋。
【請求項１０】
前記束ね鉄筋の外周面は、前記保持体の外周面と、前記外周面に設けられた金属製または繊維強化プラスチック製のメッシュ材とで形成され、
前記凹凸部は、前記メッシュ材を含んで構成されている、
ことを特徴とする請求項９記載の束ね鉄筋。
【発明の詳細な説明】
【技術分野】
【０００１】
本発明は、複数の鉄筋からなる束ね鉄筋に関する。
【背景技術】
【０００２】
コンクリート構造体を新たに構築する場合、あるいは、既存のコンクリート構造体を補強する場合、設計時に、鉄筋の外径と、本数と、鉄筋挿入箇所が決定される。
この場合、設計された鉄筋の外径が大きい場合、その都度、大きい外径の鉄筋を手配するのでは、工期の短縮化を図り、また、コストの削減化を図る上で不利となる。
そこで、予め均一の外径の鉄筋を多数用意しておき、それら鉄筋を束ねた束ね鉄筋として使用できれば、大きい外径の鉄筋をその都度手配する必要がなくなる。
特許文献１には、複数本の鉄筋が、スパイラル鉄筋で巻回されて構成された束ね鉄筋が提案されている。
【先行技術文献】
【特許文献】
【０００３】
【特許文献１】特開平７−１５０６３０号公報
【発明の概要】
【発明が解決しようとする課題】
【０００４】
しかしながら、このような束ね鉄筋は、複数本の鉄筋が、スパイラル鉄筋で巻回され締め付けられ、鉄筋相互の外周面が接触しているため、複数本の鉄筋の内側にコンクリートが行き渡り難い。したがって、用いる鉄筋の数が４本、５本、６本と増えるにつれ、各鉄筋の相互の隙間にコンクリートが行き渡り難いことから、定着長を確保する上で不利となる。
本発明は、上記のような課題を解決するためになされたもので、本発明は、定着長を確保する上で有利な束ね鉄筋を提供することを目的とする。
【課題を解決するための手段】
【０００５】
上記目的を達成するために、請求項１記載の発明は、複数の鉄筋と、前記複数の鉄筋が互いに平行して延在した状態を保持し前記鉄筋の延在方向に延在する保持体とを備え、前記保持体は、コンクリートよりも大きい引張強度を有し、前記複数の鉄筋相互の隙間からそれら鉄筋の外周にわたって充填された接着剤で構成されていることを特徴とする。
請求項２記載の発明は、前記束ね鉄筋の外周面は、前記保持体で形成されていることを特徴とする。
請求項３記載の発明は、前記束ね鉄筋は、均一の外径で延在していることを特徴とする。
請求項４記載の発明は、前記複数の鉄筋は同一の外径を有していることを特徴とする。
請求項５記載の発明は、前記複数の鉄筋は、複数種類の外径の鉄筋が組み合わされていることを特徴とする。
請求項６記載の発明は、前記複数の鉄筋は、それらの外周面を離間させて配置されていることを特徴とする。
請求項７記載の発明は、前記複数の鉄筋と前記保持体とがその内部に取着された鋼管をさらに備えることを特徴とする。
請求項８記載の発明は、前記鋼管に前記鋼管の外周面と内周面とに貫通する複数の貫通孔が形成されていることを特徴とする。
請求項９記載の発明は、前記束ね鉄筋の外周面に、コンクリートとの付着性を高める凹凸部が形成されていることを特徴とする。
請求項１０記載の発明は、前記束ね鉄筋の外周面は、前記保持体の外周面と、前記外周面に設けられた金属製または繊維強化プラスチック製のメッシュ材とで形成され、前記凹凸部は、前記メッシュ材を含んで構成されていることを特徴とする。
【発明の効果】
【０００６】
請求項１記載の束ね鉄筋によれば、接着剤が複数の鉄筋の隙間から外周にわたって充填され、複数の鉄筋と保持体とが予め一体化され、あたかも太い一本の鉄筋の如く形成されているので、束ね鉄筋に設計通りの定着長を確保する上で有利となる。
また、同一外径の多数の鉄筋、または、複数種類の外径の多数の鉄筋を用意しておけば、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
請求項２記載の発明によれば、束ね鉄筋の取り扱い時の鉄筋の保護が図られている。
請求項３記載の発明によれば、太い一本の鉄筋と同様に取り扱う上で有利となる。
請求項４記載の発明によれば、定着長の計算を簡単に行なえ、束ね鉄筋を簡単に製作する上で有利となる。
請求項５記載の発明によれば、束ね鉄筋において鉄筋が占める断面積を最適値に設定する上で有利となる
請求項６記載の発明によれば、束ね鉄筋の定着性を確保する上で有利となる。
請求項７記載の発明によれば、太い一本の鉄筋と同様に取り扱うことができるため、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
請求項８，９記載の発明によれば、コンクリートとの付着性が高まり、束ね鉄筋の定着性を確保する上で有利となる。
請求項１０記載の発明によれば、コンクリートとの付着性に優れる束ね鉄筋を簡単に得る上で有利となる。
【図面の簡単な説明】
【０００７】
【図１】（Ａ）は第１の実施の形態の束ね鉄筋の斜視図、（Ｂ）は（Ａ）のＢＢ断面図である。
【図２】第２の実施の形態の束ね鉄筋の断面図である。
【図３】第３の実施の形態の束ね鉄筋の断面図である。
【図４】第４の実施の形態の束ね鉄筋の断面図である。
【図５】実施の形態の束ね鉄筋の変形例の断面図である。
【発明を実施するための形態】
【０００８】
次に、本発明の実施の形態について図面を参照して説明する。
（第１の実施の形態）
図１に示すように、第１の実施の形態の束ね鉄筋１０Ａは、複数の鉄筋１２と、それら鉄筋１２を保持する保持体１４とを含んで構成されている。
複数の鉄筋１２は、同一の外径であり、同一の長さを有している。
保持体１４は、複数の鉄筋１２がそれらの長さを揃え、互いに平行して延在した状態を保持するコンクリートよりも引張強度の高い接着剤で構成されている。
このような接着剤として、例えば、エポキシ樹脂系接着剤を用いることができる。エポキシ樹脂系接着剤は、液状樹脂に硬化剤を混合し、複数の鉄筋１２の隙間および周囲にわたって充填され、硬化されることでそれら複数の鉄筋１２を保持している。
【０００９】
本実施の形態では、複数の鉄筋１２は、それらの外周面の相互が離間して配置され、各鉄筋１２の外周面の全域にエポキシ樹脂系接着剤が位置しており、複数の鉄筋１２と保持体１４との一体化がより強固になされている。
なお、本発明では複数の鉄筋１２の外周面相互が接触させて配置してもよい。複数の鉄筋１２の外周面相互が接触している場合であっても、硬化剤を混合した液状のエポキシ樹脂系接着剤は、コンクリートよりも流動性に優れるため、複数の鉄筋１２相互の隙間に確実に充填され一体化される。しかしながら、複数の鉄筋１２の外周面の相互を離間して配置した方が、複数の鉄筋１２と保持体１４とを一体化する上で有利となり、定着長を確保する上で有利となる。
なお、鉄筋１２としてねじ節鉄筋を用いると、複数の鉄筋１２と保持体１４とを一体化する上で有利となり、定着長を確保する上で有利となる。
束ね鉄筋１０Ａの外周面１００２は保持体１４で形成され、取り扱い時の鉄筋１２の保護が図られている。
また、束ね鉄筋１０Ａは、本実施の形態では、均一断面の円柱体として形成され、束ね鉄筋１０Ａの取り扱いが簡単になされるように図られている。
【００１０】
このような束ね鉄筋１０Ａは、例えば、半割りで内周面にエポキシ樹脂系接着剤に対して剥離性を有する剥離層が形成された半円筒体を合わせて円筒体となる型枠を用意する。そして、この型枠の内部に複数の鉄筋１２を配置し、液状のエポキシ樹脂系接着剤を充填し、硬化させたのち、半円筒体を開いて取り出すことで製作される。
この場合、例えば、鉄筋１２の外径に対応した大きさの網目を有する金網を用意し、複数の鉄筋１２の長手方向両端に金網を配置し、鉄筋１２の長手方向両端において、それら鉄筋１２の端部を金網の網目に挿入し、複数の鉄筋１２の外周面の相互を離間して型枠内に配置するようにしてもよい。
【００１１】
本実施の形態の束ね鉄筋１０Ａによれば、エポキシ樹脂系接着剤が複数の鉄筋１２の隙間からそれら鉄筋１２の外周にわたって充填され、あたかも太い一本の鉄筋の如く円柱体として形成されているので、太い一本の鉄筋と同様に取り扱う上で有利となる。
また、束ね鉄筋１０Ａを構成する複数の鉄筋１２相互は、エポキシ樹脂系接着剤からなる保持体１４により一体化されているので、束ね鉄筋１０Ａを構成する各鉄筋１２に設計通りの定着長を確保する上で有利となる。
また、エポキシ樹脂系接着剤は、コンクリートよりも引張強度が高いため、束ね鉄筋１０Ａの定着長を確保する上で有利となる。
また、複数の鉄筋１２は同一の外径を有しているので、束ね鉄筋１０Ａの定着長の計算を簡単に行なえ、束ね鉄筋１０Ａを簡単に製作する上で有利となる。
また、コンクリート構造体を新たに構築する際に、束ね鉄筋１０Ａを、コンクリート型枠内に配置し、その後コンクリートを打設するなど、太い一本の鉄筋と同様に取り扱うことができる。
また、束ね鉄筋１０Ａの外周面１００２は、均一の外径で延在しているので、太い一本の鉄筋と同様に取り扱う上で有利となる。
【００１２】
また、コンクリート構造体を補強する際に、コンクリート構造体に鉄筋挿入用孔を形成し、この孔に束ね鉄筋１０Ａを挿入し、鉄筋挿入用孔の内周面と束ね鉄筋１０Ａの外周面との間に、モルタルやエボキシ樹脂系接着剤を充填するなど、太い一本の鉄筋と同様に取り扱うことができる。
したがって、同一外径の多数の鉄筋１２を用意しておけば、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
【００１３】
（第２の実施の形態）
図２に示すように、第２の実施の形態の束ね鉄筋１０Ｂは、複数の鉄筋１２を保持する保持体１４がその内部に取着された鋼管１６をさらに備えるものであり、複数の鉄筋１２と保持体１４は、第１の実施の形態と同様である。
鋼管１６と複数の鉄筋１２とは、保持体１４を構成するエポキシ樹脂系接着剤で取着されている。
第２の実施の形態の束ね鉄筋１０Ｂによれば、第１の実施の形態と同様に、太い一本の鉄筋と同様に取り扱うことができるため、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
また、鋼管１６により保持体１４の外周面を保護する上で有利となる。
【００１４】
（第３の実施の形態）
図３に示すように、第３の実施の形態の束ね鉄筋１０Ｃは、第２の実施の形態の束ね鉄筋１０Ｂを構成する鋼管１６に、その外周面と内周面とに貫通する孔１６０２を鋼管１６の周方向および長手方向に間隔をおいて複数形成したものである。
第３の実施の形態の束ね鉄筋１０Ｃによれば、第２の実施の形態と同様な効果が奏されることは無論のこと、複数の孔１６０２により鋼管１６とコンクリートとの付着性が高まり、束ね鉄筋１０Ｃの定着性を確保する上で有利となる。
【００１５】
（第４の実施の形態）
図４に示すように、第４の実施の形態は、束ね鉄筋１０Ｄの外周面１００２が、保持体１４の外周面と、保持体１４の外周面に設けられコンクリートとの付着性を高める凹凸部１８とで構成されているものである。
このような凹凸部１８は、前記の型枠の内面に予め凹凸部を形成しておくことで、束ね鉄筋１０Ｄの外周面１００２に設けてもよい。あるいは、図４に示すように、保持体１４の外周面を覆うメッシュ材１８０２を設けることで凹凸部１８を形成してもよい。メッシュ材１８０２として、金属や繊維強化プラスチックが使用可能である。
また、束ね鉄筋１０Ａ〜１０Ｄを均一の断面で延在させず、所定の長さ毎に小径部（環状の凹溝）や大径部（環状の凸部）を設けるなど外周面の形状を適宜変化させるようにしてもよい。
第４の実施の形態の束ね鉄筋１０Ｄによれば、第１の実施の形態と同様な効果が奏される他、凹凸部１８により束ね鉄筋１０Ｄとコンクリートとの付着性が高まり、束ね鉄筋１０Ｄの定着性を確保する上で有利となる。
【００１６】
なお、実施の形態では、束ね鉄筋１０Ａ〜１０Ｄの断面が円形である場合について説明したが、束ね鉄筋１０Ａ〜１０Ｄの断面は、矩形や多角形など、用途に応じて適宜決定される。
また、実施の形態では、束ね鉄筋１０Ａ〜１０Ｄを構成する複数の鉄筋１２の外径が同一である場合について説明したが、複数種類（例えば、２〜３種類程度）の外径の鉄筋１２を多数用意しておき、束ね鉄筋１０Ａ〜１０Ｄを構成する鉄筋１２に、複数種類の外径の鉄筋１２を組み合わせるなど任意である。
図５では、束ね鉄筋１０Ｅを構成する鉄筋１２に、２種類の外径の鉄筋１２Ａ、１２Ｂを用いている。
このように束ね鉄筋１０Ｅを構成する鉄筋１２に、複数種類の外径の鉄筋１２Ａ、１２Ｂを組み合わせることで、鉄筋１２Ａ、１２Ｂの外周面相互の間隔を確保しつつ束ね鉄筋１０Ｅにおいて鉄筋が占める断面積を最適値に設定する上で有利となる。
【符号の説明】
【００１７】
１０Ａ〜１０Ｅ  束ね鉄筋
１２  鉄筋
１４  保持体
１６  鋼管
１６０２  孔
１８  メッシュ材
【図１】
2020056307.tif 000003
【図２】
2020056307.tif 000004
【図３】
2020056307.tif 000005
【図４】
2020056307.tif 000006
【図５】
2020056307.tif 000007
【手続補正書】
【提出日】令和2年1月9日(2020.1.9)
【手続補正２】
【補正対象書類名】明細書
【補正対象項目名】０００１
【補正方法】変更
【補正の内容】
【０００１】
本発明は、複数の鉄筋からなる束ね鉄筋の生産方法に関する。
【手続補正３】
【補正対象書類名】明細書
【補正対象項目名】０００４
【補正方法】変更
【補正の内容】
【０００４】
しかしながら、このような束ね鉄筋は、複数本の鉄筋が、スパイラル鉄筋で巻回され締め付けられ、鉄筋相互の外周面が接触しているため、複数本の鉄筋の内側にコンクリートが行き渡り難い。したがって、用いる鉄筋の数が４本、５本、６本と増えるにつれ、各鉄筋の相互の隙間にコンクリートが行き渡り難いことから、定着長を確保する上で不利となる。
本発明は、上記のような課題を解決するためになされたもので、本発明は、定着長を確保する上で有利な束ね鉄筋の生産方法を提供することを目的とする。
【手続補正４】
【補正対象書類名】明細書
【補正対象項目名】０００５
【補正方法】変更
【補正の内容】
【０００５】
上記目的を達成するために、本発明は、半割りで内周面にコンクリートよりも引張強度の高い接着剤に対して剥離性を有する剥離層が形成された半円筒体を合わせて円筒体となる型枠を用意し、同一の外径の複数の鉄筋を用意し、前記鉄筋の外径に対応した大きさの網目を有する金網を用意し、前記複数の鉄筋の長手方向両端に前記金網を配置し、前記複数の鉄筋の長手方向両端の端部を前記金網の網目に挿入し、長手方向両端の端部が前記金網の網目に挿入された複数の鉄筋を前記型枠の内部に配置し、前記コンクリートよりも引張強度の高い液状の接着剤を充填し、前記接着剤を硬化させたのち、前記型枠を開いて束ね鉄筋を取り出すことを特徴とする。
【手続補正５】
【補正対象書類名】明細書
【補正対象項目名】０００６
【補正方法】変更
【補正の内容】
【０００６】
本発明によれば、接着剤が複数の鉄筋の隙間から外周にわたって充填され、複数の鉄筋と保持体とが予め一体化され、あたかも太い一本の鉄筋の如く形成されているので、束ね鉄筋に設計通りの定着長を確保する上で有利となる。
また、同一外径の多数の鉄筋、または、複数種類の外径の多数の鉄筋を用意しておけば、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
本発明によれば、束ね鉄筋の取り扱い時の鉄筋の保護が図られている。
本発明によれば、太い一本の鉄筋と同様に取り扱う上で有利となる。
本発明によれば、定着長の計算を簡単に行なえ、束ね鉄筋を簡単に製作する上で有利となる。
本発明によれば、束ね鉄筋において鉄筋が占める断面積を最適値に設定する上で有利となる
本発明によれば、束ね鉄筋の定着性を確保する上で有利となる。
本発明によれば、太い一本の鉄筋と同様に取り扱うことができるため、コンクリート構造体を新たに構築する際、あるいは、既存のコンクリート構造体を補強する際、設計された鉄筋の外径が大きい場合、その都度、大きい外径の鉄筋を手配する必要がなくなり、工期の短縮化を図り、また、コストの削減化を図る上で有利となる。
本発明によれば、コンクリートとの付着性が高まり、束ね鉄筋の定着性を確保する上で有利となる。
本発明によれば、コンクリートとの付着性に優れる束ね鉄筋を簡単に得る上で有利となる。
【手続補正６】
【補正対象書類名】特許請求の範囲
【補正対象項目名】全文
【補正方法】変更
【補正の内容】
【特許請求の範囲】
【請求項１】
半割りで内周面にコンクリートよりも引張強度の高い接着剤に対して剥離性を有する剥離層が形成された半円筒体を合わせて円筒体となる型枠を用意し、
同一の外径の複数の鉄筋を用意し、
前記鉄筋の外径に対応した大きさの網目を有する金網を用意し、
前記複数の鉄筋の長手方向両端に前記金網を配置し、前記複数の鉄筋の長手方向両端の端部を前記金網の網目に挿入し、
長手方向両端の端部が前記金網の網目に挿入された複数の鉄筋を前記型枠の内部に配置し、前記コンクリートよりも引張強度の高い液状の接着剤を充填し、前記接着剤を硬化させたのち、前記型枠を開いて束ね鉄筋を取り出す、
ことを特徴とする束ね鉄筋の生産方法。
【請求項２】
前記コンクリートよりも引張強度の高い接着剤はエポキシ樹脂系接着剤であることを特徴とする請求項１記載の束ね鉄筋の生産方法。